(57)【要約】  【課題】使用者の邪魔にならず、安定して電力を利用できる事務用椅子を提供する。  【解決手段】外部電源に対し一端部を接続可能なコンセントプラグ７１と他端部に第一コネクタ７３とを有する電源コード７ａを具備する給電部７と、第一コネクタ７３と着脱可能に電気的に接続される第二コネクタ６２３を設けている蓄電部６２Ａとを有する電源部６２を具備している。  【選択図】図４
2005287784.tif 000002
【特許請求の範囲】
【請求項１】
椅子本体と、
前記椅子本体に取り付けられ該椅子本体の外部から供給された電力を蓄電する蓄電部及び外部電源より電力を取得するとともに前記蓄電部へ電力を供給する給電部を有する電源装置とを具備してなり、
前記給電部が、外部電源に対し一端部を接続可能な接続端子を有するとともに他端部に第一コネクタを有する電源コードを具備するものであって、
前記蓄電部に前記第一コネクタと電気的且つ着脱可能に接続される第二コネクタを設けていることを特徴とする事務用椅子。
【請求項２】
前記第一コネクタと前記第二コネクタとを磁力によって物理的に着脱可能に接続するように構成している請求項１記載の事務用椅子。
【請求項３】
前記椅子本体が使用者の荷重を受ける座部と、該座部を揺動させる揺動機構とを有するものであって、
前記蓄電部が、該揺動機構に電力を供給するものである請求項１又は２記載の事務用椅子。
【請求項４】
前記電源装置が、前記蓄電部に蓄電された電力を椅子本体以外の外部機器へ供給する電力供給部を有している請求項１、２又は３記載の事務用椅子。
【請求項５】
前記給電部、前記蓄電部又は前記電力供給部の少なくともいずれかが、外部電源より供給された電力を変圧する変圧手段を具備している請求項４記載の事務用椅子。
【請求項６】
前記椅子本体が、脚部と、脚部の上端部に支持された座部とを有するものであり、
前記蓄電部及び前記給電部の一部を、脚部の上端部、座部の下面側或いは脚部と座部との間に配置している請求項１、２、３、４又は５記載の事務用椅子。
【発明の詳細な説明】
【技術分野】
【０００１】
本発明は、電力を利用する事務用椅子に関するものである。
【背景技術】
【０００２】
従来、椅子本体に電力により作動する機械装置を設けるとともに、例えば家庭用又はオフィス用電源等による電力を前記機械装置に供給する電源装置を設け、該電源装置によって供給される電力を利用することにより、前記機械装置によって様々な機能が付加された椅子が提案されている。そのような椅子の中でも近年では、長時間の着座による使用者の疲労を緩和させるために、前記電源装置によって供給される電力を利用することにより、座部を一定周期で揺動させる椅子が提案されている（例えば、特許文献１参照）。
【０００３】
そして、上述されたようなの椅子の多くは、特許文献１には明示されてはいないが前記電源装置として、椅子の所定箇所に電源コードの一端側を固定して設け、他端側にコンセントプラグを設けることによって家庭用コンセントに接続して、機械装置たる揺動機構に電力を供給する構成とすることにより、該揺動機構を長時間駆動できるようにしているのが通例である。
【０００４】
一方、椅子本体に対してバッテリパックの如き着脱可能な蓄電部を設けることにより、椅子本体に電源コードを接続しない状態で機械装置に一定時間電力を供給することが可能な椅子も提案されている。このものは、蓄電部を蓄電する際には椅子本体より蓄電部を一旦取り外し、蓄電部を蓄電させた状態として、椅子本体に蓄電部を装着して使用する態様がとられている。
【特許文献１】特開２００３−３８２８６号公報
【発明の開示】
【発明が解決しようとする課題】
【０００５】
しかしながら、上述した電源コードを常時つないだ状態で使用される椅子においては、家庭用コンセントに電源コードを接続していなければ機械装置たる揺動機構は動作せず、そのため椅子本体の設置箇所が限られてしまうばかりか、椅子本体から家庭用コンセントまで電源コードが接続された状態となっているため、該電源コードが使用者や周囲の者の邪魔となるとともに前記電源コードが使用中の位置変更を制限してしまうという不具合を生じることがある。
【０００６】
また、上述したような着脱可能な蓄電部を設けた椅子においては設計上、蓄電部の配置可能なスペースが制限されてしまうばかりか使用者が蓄電部を取り外しし易く且つ持ち運びし易い形状としなければならない。そのため、蓄電部の大きさや形状が制限されてしまうことに伴って蓄電部の蓄電容量が限られてしまい、例えば機械装置の動作時間が著しく制限されるものとなるだけでなく、椅子本体及び蓄電部の設計自由度を大きく制限してしまうものとなる。また、このような椅子は、上述したように蓄電部を蓄電させる手間が必須であるため、前述のように蓄電部の蓄電容量が限られることと相まって、使用者は蓄電部に蓄電させるために頻繁に蓄電部の着脱を繰り返さなければならない。
【０００７】
本発明は、これらのような不具合に着目したものであり、本発明の主たる目的とするところは、使用者の邪魔にならず、安定して電力を利用できる椅子を提供することにある。
【課題を解決するための手段】
【０００８】
本発明は、このような目的を達成するために、次のような手段を講じたものである。すなわち、本発明に係る椅子は、椅子本体と、前記椅子本体に取り付けられ該椅子本体の外部から供給された電力を蓄電する蓄電部及び外部電源より電力を取得するとともに前記蓄電部へ電力を供給する給電部を有する電源装置とを具備してなり、前記給電部が、外部電源に対し一端部を接続可能な接続端子を有するとともに他端部に第一コネクタを有する電源コードを具備するものであって、前記蓄電部に前記第一コネクタと電気的且つ着脱可能に接続される第二コネクタを設けていることを特徴とする。
【０００９】
このようなものであれば、電源コードとして機能する給電部は椅子本体に対して着脱可能であるため、給電部を椅子本体より取り外して椅子本体を使用すれば、使用者や周囲の者の邪魔になることや使用者の位置変更が制限することはない。また、給電部を椅子本体に取り付けた状態で椅子本体を使用しても、給電部を任意の操作力により椅子本体から外れる構成とすれば、例えば給電部に使用者が接触した場合には給電部が椅子本体から脱落するので給電部や椅子本体が損傷してしまうことはない。さらに、蓄電部を椅子本体から取り外して蓄電させる設定とする必要がないので、蓄電部の大きさ及び形状を任意に設定して蓄電容量の大きい蓄電部を構成することも可能となる。また、給電部により蓄電部を蓄電する際には、コネクタ部を用いて給電部と蓄電部を接続する手順のみで外部から供給された電力を蓄電部に蓄電させることができるため、蓄電部を取り外して蓄電させ、再び椅子本体に蓄電部を取り付けるという手間を有効に削減することができる。
【００１０】
使用者が不意に足を引っかけてしまうなどして電源コードに干渉した際に、第一コネクタと第二コネクタとの接続を容易に解除して使用者の安全を確保する構成とするためには、前記第一コネクタと前記第二コネクタとを磁力によって物理的に着脱可能に接続するように構成していることが望ましい。
【００１１】
また、蓄電部に蓄電された電力を有効に利用する事務用椅子として、前記椅子本体が使用者の荷重を受ける座部と、該座部を揺動させる揺動機構とを有するものであって、前記蓄電部が、該揺動機構に電力を供給するものを挙げることができる。
【００１２】
蓄電部が蓄電している電力を用いて外部機器を使用できるようにするためには、電源装置に、前記蓄電部に蓄電された電力を椅子本体以外の外部機器へ供給する電力供給部を設けることが望ましい。そして、電力供給部が電力を供給する望ましい態様として、前記給電部、前記蓄電部又は前記電力供給部の少なくともいずれかが、外部電源より供給された電力を変圧する変圧手段を具備しているものを挙げることができる。ここでいう変圧とは、単に電圧のみを変圧するものだけを示すものではなく、交流から直流への整流や電流を所定の値に設定するものをも含む概念である。
【００１３】
さらに、脚部と、脚部の上端部に支持された座部とを有する前記椅子本体に対して、容積の大きい蓄電部、すなわち蓄電容量の大きい蓄電部を取り付けるようにするためには、前記蓄電部及び前記給電部の一部を、脚部の上端部、座部の下面側或いは脚部と座部との間に配置している構成とすることが望ましい。
【発明を実施するための最良の形態】
【００１４】
以下、本発明の一実施の形態について図面を参照して説明する。
【００１５】
本実施形態に係る事務用椅子（以下「椅子」と略称する）１を図１に示す。この椅子１は、キャスタＣを有する脚羽根２１と脚支柱２２とを具備する脚部２と、使用者による着座荷重を受け、脚部２によって水平方向に回動可能に支持され座本体３０と該座本体３０を下方より支持する支持体たる座受け３１とからなる座部３と、同じく脚部２によって水平方向に回動可能に支持されるとともに座部３の側方から後方に亘って立ち上がる左右一対の支持フレームＦによって下端を支持されている背部４と、この一対の支持フレームＦより立ち上がる一対の肘掛け部５とを具備している椅子本体１ａを主体としている。言い換えれば、この椅子本体１ａは、キャスタＣによって椅子本体１ａ自体が移動可能であり且つ座部３、背部４及び肘掛け部５が脚部２によって水平方向に回転可能に支持されている事務用の回転椅子である。
【００１６】
また、椅子本体１ａは、背部４を後傾させるときには座部３とは連動せず、支持フレームＦにおける円形部材Ｆ１を軸として後傾するチルト機構を採用している。
【００１７】
そして、椅子本体１ａは、座部３には依存しない脚部２の一部として、座部３のなす角度を座部３の下面側から一定周期で変動させることにより座部３を揺動させる揺動機構６を脚部２と座部３との間に組み付けており、この揺動機構６の内部及び外部に電源装置たる電源部６２を設けることにより、本実施形態に係る椅子１としている。
【００１８】
以下、この椅子１の構成について、図２、図３、図４、図５及び図６を用いて詳述する。なお、本実施形態において、座部３の下側において座受け３１及び揺動機構６を覆う化粧ケースの図示を省略している。また、図３において支持フレームＦの図示を省略している。
【００１９】
揺動機構６は、上下動作部６０、駆動部６１、機構ケース６３により構成されるとともに、電源装置たる電源部６２に接続しているものである。詳細には、脚支柱２２の上方において座部３を下方より支持しつつ脚支柱２２に対して水平方向に回転可能に取り付けられている機構ケース６３の内部或いは外部に、上下動作部６０、駆動部６１及び電源部６２を組み付けている。すなわち、揺動機構６並びに揺動機構６を構成する上下動作部６０、駆動部６１、電源部６２及び機構ケース６３は脚支柱２２に対して座部３とともに水平方向に回転可能に取り付けられている。
【００２０】
電源装置たる電源部６２は、図３に示すように、上端が機構ケース６３より上方へ突出して座部３の内部に収納される着座スイッチ６４を有しているとともに、蓄電部６２Ａを構成しているバッテリ６２１、機構ケース６３の側部より露出させた電源スイッチ６２２及び第二コネクタ６２３と、蓄電部６２Ａと接続する給電部７を有している。
【００２１】
給電部７は、図３及び図４に示すように、電源コード７ａの一端部に例えばＡＣ１００Ｖの外部電源に対し接続可能な接続端子たるコンセントプラグ７１を配し、前記外部電源から取得した電力を駆動部６１へ供給するために例えばＤＣ１２Ｖへ変圧する変圧手段たるＡＣアダプタ７２を介して、電源コード７ａの他端部に第二コネクタ６２３と着脱可能に電気的に接続される第一コネクタ７３を配しているものである。
【００２２】
また、図４に示すように、第一コネクタ７３は、第二コネクタ６２３との接続面７３ａから若干窪んで配置される２つの送電端子７３ｂと、接続面７３ａに対し若干突出させて設けたマグネット７３ｃとを設けている。一方、第二コネクタ６２３は、外枠６２３ａより接続面６２３ｂを窪ませて設け、該接続面６２３ａから突出させて設けた円柱状の２本の受電端子６２３ｃと、該２本の受電端子６２３ｃ間に配され、磁力によりマグネット７３ｃと接着可能な鉄製の接着プレート６２３ｄを有している。そして、第一コネクタ７３と第二コネクタ６２３との接続は、外枠６２３ａにより第一コネクタの接続面７３ａが位置決めされるとともに、マグネット７３ｃと接着プレート６２３ｄが磁力によって接着され当接する際に第二コネクタ６２３側の受電端子６２３ｃが第一コネクタ７３側の送電端子７３ｂに接触することにより行われる。
【００２３】
そして、本実施形態に係る椅子１において駆動部６１への電力供給は、電源スイッチ６２２と着座スイッチ６４とがともにＯＮの状態となったときにのみ行われるものとしている。なお、電源スイッチ６２２のみがＯＮとなった状態では、電力供給の可否を着座スイッチ６４に依存する待機状態となっている。
【００２４】
駆動部６１は、図３及び図５に示すように、機構ケース６３の内部に収納されたモータ６１０と、モータ６１０の駆動軸に取り付けられた駆動ギア６１１と、図示しない制御基板に取り付けられた図示しないドライバとにより構成されている。また、本実施形態においてモータ６１０はＤＣブラシレスモータを採用している。ドライバは、電源部６２により供給された電力がドライバに供給されると、モータ６１０を駆動させるために電流及び周波数を制御された交流電流をモータ６１０に印加するものである。また、ドライバはモータ６１０に掛かる負荷を検知して、供給する電流及び周波数をリアルタイムで制御する機能を有している。モータ６１０による駆動力は駆動ギア６１１を介して上下動作部６０へと伝達される。
【００２５】
上下動作部６０は、図３、図５及び図６に示すように、モータ６１０の駆動力が駆動ギア６１１を介して伝達される減速ギア６０１と、この減速ギア６０１により回動する主軸６０２と、この主軸６０２の両端部において、中心軸６０２ａから偏位させた位置に配された副軸たる一対の回動軸６０３と、この回動軸６０３の中心軸６０３ａを中心とする縦断面視円形状、すなわち側面視円形板状の一対の回動部材６０４とをそれぞれ具備している。
【００２６】
減速ギア６０１は、上述した駆動ギア６１１よりも歯数の大きなギアを採用することにより、モータ６１０の回転速度を適度に減速するとともにトルクを向上させ、座部３を揺動させるために望ましい駆動力として主軸６０２に伝達している。ここで本実施形態においては一例として、駆動ギア６１１：減速ギア６０１のギア比を１：３に設定している。
【００２７】
主軸６０２は減速ギア６０１により伝達された駆動力を、該主軸６０２の両端側に位置するとともに、機構ケース６３の両側に位置する一対の回動部材６０４へと伝達しているとともに、機構ケース６３に設けられた軸受孔６３１に軸受部材６３２を介して支持されている。詳細には、軸受部材６３２は、主軸６０２と共に回動する回動部６３２ａと、機構ケース６３に固定されて前記回動部６３２ａを回動可能に支持する固定部６３２ｂとを具備し、さらに回動部６３２ａと固定部６３２ｂとの間には滑動部材たるベアリング６３２ｃを設けることにより、主軸６０２が回動する際の摩擦による駆動力のロスを低減させている。このベアリング６３２ｃは、固定部６３２ｂの内周面において等間隔に配された複数のボールベアリングから構成され、固定部６３２ｂの内周面及び回動部６３２ａの外周面に設けられた部分球面状の陥没であるベアリング受けに回転可能に保持されることにより各ボールベアリングの相対位置を一定としながら回動部６３２ａを固定部６３２ｂに対して回転させている、また、各ボールベアリングとベアリング受けとの間には十分量の潤滑オイルが充填されており、各ボールベアリングより発生する摩擦を最小限としている。
【００２８】
副軸たる回動軸６０３は、上述した通り、主軸６０２に対して偏位した位置に取り付けられているとともに、この回動軸６０３の周囲には回動軸６０３とともに回動する回動部材本体６０４ｃを設けるとともに、回動軸６０３及び回動部材本体６０４ｃの外周に沿って配置される、当接リング６０４ａを取り付けており、当接リング６０４ａが回動軸６０３及び回動部材本体６０４ｃに対して自由に回転するよう、回動部材本体６０４ｃと当接リング６０４ａとの間には空転部材たるベアリング６０４ｂを配している。このベアリング６０４ｂは、上述した軸受部材６３２に設けたベアリング６３２ｃと同様のものであり、当接リング６０４ａの内周面において等間隔に配された複数のボールベアリングから構成され、当接リングの内周面及び回動部材本体６０４ｃの外周面に設けられた部分球面状の陥没であるベアリング受けに回転可能に保持されている。また、各ボールベアリングとベアリング受けとの間には十分量の潤滑オイルが充填されており、各ボールベアリングより発生する摩擦を最小限としている。そして、回動部材本体６０４ｃと、当接リング６０４ａと、ベアリング６０４ｂとによって回動部材６０４を構成している。
【００２９】
そして、機構ケース６３は、図３及び図５に示すように例えばダイキャスト製の箱体であり、該機構ケース６３の両側には、上述した通り軸受孔６３１を形成して一対の軸受部材６３２を配している。また、座受け３１を支持するための一対の支持部材６３３を両側に取り付けている。
【００３０】
一方、揺動機構６に支持される座部３において、座本体３０は内部に使用者の荷重を緩衝するクッション体を有するとともに、下方より、上述した着座スイッチ６４を内部に収納するための凹部（図示せず）が形成されている。座受け３１は、図２、図３及び図６に示すように、例えば鋼板の溶接及び折り曲げにより構成された座受け本体３１０と、スペーサ３１３とによって構成されている。
【００３１】
座受け本体３１０は、前方に起立する前壁３１０ａ及び側方に起立する一対の立壁たる側壁３１０ｂを、機構ケース６３０を覆うように配している形状としているとともに、一対の側壁３１０ｂには、前後方向において略中央に位置する被支持孔３１１と、被支持孔３１１よりやや前方に位置する開口部３１２と、開口部３１２の上方に位置する２つのめねじ孔３１２ａを形成している。
【００３２】
また、スペーサ３１３は例えば焼き付けされた鋼材のように強度の高い金属により構成された断面視Ｌ字状のブロックであり、図６に示すように、めねじ孔３１２ａの位置にボルトｂを用いてスペーサ３１３を開口部３１２の上辺３１２ｂに取り付けている。
【００３３】
そして、揺動機構６と座部３とは、機構ケース６３に取り付けられた支持部材６３３と座受け本体３１０に設けられた被支持孔３１１とを枢着することにより支持部Ａを構成するとともに、回動部材６０４の当接リング６０４ａの上向面が座受け本体３１０に取り付けられたスペーサ３１３に下方から当接部位ｐにおいて当接させて組み付けている。このとき、着座スイッチ６４の作動子６４２は、その上部が座本体３０が有するクッション体の内部に位置している。
【００３４】
このようにして座部３と接続された揺動機構６が座部３を揺動させる動作について、図３、図７、図８を用いて説明する。
【００３５】
まず電源部６２の電源スイッチ６２２がＯＮにされた待機状態において、使用者が所定位置に着席することにより起こる座本体３０の内部に設けられたクッション体の撓みに作動子６４２が応動することにより着座スイッチ６４がＯＮにされると、バッテリ６２１に蓄電された電力がドライバを通じてモータ６１０を駆動させる。モータ６１０の駆動力は駆動ギア６１１及び減速ギア６０１を通じて主軸６０２に伝達され、主軸６０２が機構ケース６３に支持されながら回転する。すると、回動部材６０４は図７（ａ）、図７（ｂ）、図７（ｃ）、図７（ｄ）に模式的に示すように、主軸６０２の回転に伴って回動軸６０３の中心軸６０３ａが主軸６０２の中心軸６０２ａの周囲を真円状に旋回するとともに、回動軸６０２を中心として、椅子の前後方向及び上下方向の移動を伴いながら回転する。このとき、回動部材６０４の当接リング６０４ａは常に座受け本体３１０に取り付けられたスペーサ３１３に接して、当接リング６０４ａとスペーサ３１３との当接部位ｐが前後方向に移動しながらスペーサ３１３の位置が回動部材６０４の動作に追従して略上下動する。正確には、図８に示すように、スペーサ３１３及び該スペーサ３１３を取り付けた座受け３１は支持部Ａを支点とした、実線で示した位置から破線で示した位置までを往復する回動運動を行う。すなわち、支持部Ａを支点として支持体３１を、すなわち座本体３０及び支持体３１を上下に揺動させている。加えて上述の通り当接リング６０４ａはベアリング６０４ｂを介して回動軸６０３に取り付けられているため、スペーサ３１３に対する当接リング６０４ａの動きは、摩擦を殆ど発生させることなく前後に転動するのみとなっている。
【００３６】
以上のように、本実施形態に係る椅子１は、椅子本体１ａと電源装置たる電源部６２を有するものであって、給電部７が、外部電源に対し一端部を接続可能な接続端子たるコンセントプラグ７１を有するとともに他端部に第一コネクタ７３を有する電源コード７ａを具備するものであり、蓄電部６２Ａに、第一コネクタ７３と着脱可能に電気的に接続される第二コネクタ６２３を設けていることを特徴としている。
【００３７】
このようなものとすることにより、電源コード７ａを主体として機能する給電部７は椅子本体に対して着脱可能であるため、給電部７を椅子本体１ａより取り外して椅子本体１ａを使用すれば、使用者や周囲の者の邪魔になることや使用者の位置変更が制限することはない。また通常の使用態様とは異なり、例えばバッテリ６２１の充電中や該充電が完了した状態のまま使用者が誤って使用してしまう場合など、給電部７を介して外部電源と椅子本体１ａとを接続した状態で椅子本体１ａを使用する場合が起こったとしても、給電部７の第一コネクタ７３が任意の操作力により椅子本体１ａに固定された第二コネクタ６２３から外れる構成としているので、例えば電源コード７ａに使用者が足を引っかけてしまうなどの接触をした場合には給電部７が椅子本体１ａから脱落するので給電部７や椅子本体１ａが損傷してしまうことはない。特に本実施形態に係る椅子１では椅子本体１ａとして、キャスタＣによって椅子本体１ａ自体が移動可能であり、座部３及び該座部３を下方より支持する揺動機構６が水平方向に回転する事務用の回転椅子を採用している。そのため、揺動機構６に取り付けられた電源部６２の第二コネクタ６２３はキャスタＣによって容易に移動するのみならず座部３とともに水平方向に回転するが、上述した通り給電部７の第一コネクタ７３が蓄電部６２Ａの第二コネクタ６２３より任意の操作力によって外れるため、第一コネクタ７３と第二コネクタ６２３とを接続した状態において、キャスタＣによって椅子本体１ａ自体が移動、又は座部３が水平方向に回転しても、電源コード７ａに無理な引っ張り強度が掛かることや電源コード７ａが脚部２に巻き付くことを有効に回避出来るので、その結果、給電部７や椅子本体１ａが損傷してしまうことはない。すなわち、本実施形態に係る椅子１は、椅子本体１ａのような移動可能な事務用の回転椅子において起こり易い電源コード７ａの引き回しに係る不具合を有効に解消して安定して電力を利用できるものとなっている。さらに、バッテリ６２１等の蓄電部６２Ａを椅子本体１ａから取り外して蓄電させる設定とする必要がないので、バッテリ６２１を含めた蓄電部６２ａの大きさ及び形状を任意に設定して蓄電容量の大きいバッテリ６２１を採用した蓄電部６２Ａを構成することも可能となる。また、給電部７により蓄電部６２Ａを蓄電する際には、第一のコネクタ７３と第二のコネクタ６２３と接続させて給電部７と蓄電部６２Ａとを接続する手順のみで外部から供給された電力を蓄電部６２のバッテリ６２１に蓄電させることができるため、蓄電部６２Ａのバッテリ６２１を取り外して蓄電させ、再び椅子本体１に取り付けるという手間を有効に削減することを可能にしている。
【００３８】
さらに、電源装置たる電源部６２において、第一コネクタ７３と第二コネクタとを磁力によって物理的に着脱可能に接続するように構成しているので、第一コネクタ７３と第二コネクタ６２３との間に係合箇所を全く設けることなく、ただマグネット７３ｃと接着プレート６２３ｄとを当接させるのみで第一コネクタ７３と第二コネクタ６２３とを接続させる構成として、通常の使用の際には安定且つ確実に接続している一方で、使用者が不意に足を引っかけるなど電源コード７ａに干渉した場合には第一コネクタ７３と第二コネクタ６２３との接続を容易に解除して使用者の安全を確保する構成としている。
【００３９】
そして、本実施形態に係る椅子１は、一定時間椅子を揺動させることにより電力を必要とする揺動機構６に電源部６２を適用して、蓄電部６２Ａが電力を供給する構成とすることにより、蓄電部６２Ａに蓄電された電力を有効に利用して安定した電力を供給する椅子１を構成することを可能にしている。
【００４０】
また、椅子本体１においてまとまったスペースをとりやすく且つ使用者の邪魔にならない箇所に配置されている脚部２の上端に固定された機構ケース６３において蓄電部６２Ａを配置して、言い換えれば座部３の下面側且つ座部と脚部の間に蓄電部６２Ａを配置して、該蓄電部６２ａと第二コネクタ６２３と接続された第一コネクタ７３も当該箇所に位置させるようにしているので、容積の大きい、すなわち蓄電容量の大きいバッテリ６２１を有する蓄電部６２Ａを取り付けることを可能としている。
【００４１】
以上、本発明の一実施形態について説明したが、例えば、本発明に係る椅子を以下のように構成することも可能である。
【００４２】
本発明の他の実施形態に係る椅子１１は、図９に示すように、上述した椅子１と略同様の構成をなすものであるが、電源部６２に、蓄電部６２Ａを構成するバッテリ６２１に蓄電された電力を椅子１１以外の外部機器Ｘへ供給する電力供給部たる第三コネクタ６７を設けているものである。このものは、給電部７に設けられた変圧手段たるＡＣアダプタ７２により変圧されてバッテリ６２１に充電されている例えばＤＣ１２Ｖの電力を、第三コネクタ６７を介して例えばパソコン等の外部機器Ｘに電力を供給するものである。
【００４３】
このようなものであれば、蓄電部６２Ａが蓄電している電力を用いて外部機器Ｘを使用することができるため、コンセント等の電力の供給元が椅子本体１から離れた箇所であっても、椅子１１の使用者が外部機器Ｘを使用することができる。また、ＡＣアダプタにより所定の電圧に変圧された電力を供給するものとすることにより、外部機器Ｘに別途変圧手段を設けることを有効に回避させることができる。なお、ここでいう変圧とは、単に電圧のみを変圧するものだけを示すものではなく、交流から直流への整流や電流を所定の値に設定するものをも含む概念である。
【００４４】
以上、本発明の実施形態について説明したが、各部の具体的な構成は、上述した実施形態のみに限定されるものではない。例えば、上記した実施形態において、変圧手段を給電部に配置する態様としたが変圧手段を、蓄電部や、電力供給部に設け、椅子本体に取り付ける態様としたものであっても良い。そのようなものであれば、給電部を単純な構成とすることができ、給電部により給電しながら事務用椅子を使用する際により好適に移動することができる。また、第一コネクタ及び第二コネクタに設ける磁石及び鉄製のプレートについては、上記実施形態とは逆に、第一コネクタに鉄製のプレートを設け、第二コネクタにマグネットとする構成としてもよく、両方ともにマグネットを設ける態様とすることも可能である。
【００４５】
その他、各部の具体的構成についても上記実施形態に限られるものではなく、本発明の趣旨を逸脱しない範囲で種々変形が可能である。
【図面の簡単な説明】
【００４６】
【図１】本発明の一実施形態に係る事務用椅子の斜視図。
【図２】同実施形態に係る事務用椅子の要部側面図。
【図３】同実施形態に係る事務用椅子の要部斜視図。
【図４】同上。
【図５】同実施形態に係る事務用椅子の要部横断面図。
【図６】同要部縦断面図。
【図７】同実施形態に係る事務用椅子の動作説明図。
【図８】同上。
【図９】本発明の他の実施形態に係る事務用椅子の斜視図。
【符号の説明】
【００４７】
１、１１…事務用椅子（椅子）
１ａ…椅子本体
２  …脚部
３  …座部
６  …揺動機構
６２…電源装置（電源部）
６２Ａ…給電部
６２２…第二コネクタ
６２３ｄ…接着プレート
６３…機構ケース
６７…電力供給部（第三コネクタ）
７  …給電部
７１…接続端子（コンセントプラグ）
７２…変圧部（ＡＣアダプタ）
７３…第一コネクタ
７３ｃ…マグネット
Ｘ  …外部機器
【図１】
2005287784.tif 000003
【図２】
2005287784.tif 000004
【図３】
2005287784.tif 000005
【図４】
2005287784.tif 000006
【図５】
2005287784.tif 000007
【図６】
2005287784.tif 000008
【図７】
2005287784.tif 000009
【図８】
2005287784.tif 000010
【図９】
2005287784.tif 000011